(57)【要約】【課題】傾きが大きくなるトルソ、また傾きが小さいトルソに対しても使用することができ、トルソの傾きを極力小さくすることができるトルソの支柱受け具を提供する。【解決手段】前記筒状部材２０の鍔部上面２１ａの傾斜面と、基体１０の凹部底面１１ａの傾斜面が共に同じ傾斜方向になるように、前記鍔部２１を基体１０の凹部１１内に収容した際には、筒状部２２は基体１０に対して垂直に立設され、前記鍔部上面２１ａの傾斜面と凹部底面１１ａの傾斜面が共に異なる傾斜方向になるように、前記鍔部２１を基体１０の凹部１１内に収容した際には、筒状部２２は基体１０に対して斜めに立設される。【選択図】図７
2008154654.tif 000002
【特許請求の範囲】
【請求項１】
基体及び前記基体に着脱自在に取付けられた筒状部材を備えた、トルソを起立状態になすための支柱を受けるトルソの支柱受け具において、
前記基体は、前記基体の底面に形成された凹部と、前記凹部に形成された貫通孔と、前記凹部底面に形成された傾斜面とを備え、
前記筒状部材は、前記基体の凹部収容される鍔部と、前記鍔部の底面に対して垂直に立設した、貫通孔を有する筒状部と、前記貫通孔が鍔部の底面に開口した開口部と、前記鍔部の上面に形成され、前記凹部底面に形成された傾斜面と同一の傾斜角度を有する傾斜面とを備え、
前記鍔部上面の傾斜面と凹部底面の傾斜面が共に同じ傾斜方向になるように、前記鍔部を基体の凹部内に収容した際には、筒状部は基体に対して垂直に立設され、
前記鍔部上面の傾斜面と凹部底面の傾斜面が共に異なる傾斜方向になるように、前記鍔部を基体の凹部内に収容した際には、筒状部は基体に対して斜めに立設されることを特徴とするトルソの支柱受け具。
【請求項２】
前記凹部底面に形成された傾斜面の傾斜方向において相対向して位置する凹部側壁に、凹部内方に突出した突出部が形成され、
かつ、前記鍔部上面に形成された傾斜面の傾斜方向において相対向して位置する鍔部側面に、切込み部が形成され、
前記鍔部を基体の凹部内に収容した際には、前記突出部が切込み部と嵌合することを特徴とする請求項１記載のトルソの支柱受け具。
【請求項３】
前記基体の外縁部がトルソ本体に固定され、トルソ本体に固定された基体に対して、前記筒状部材が螺子によって着脱自在に取付けられることを特徴する請求項１または請求項２記載のトルソの支柱受け具。
【発明の詳細な説明】
【技術分野】
【０００１】
本発明は服飾店等において用いられているトルソの支柱受け具に関し、詳細にはトルソを立設するための支柱を受けるトルソの支柱受け具に関する。
【背景技術】
【０００２】
従来からデパートの売り場や洋服店では、紳士服・婦人服あるいは子供服等を陳列するために、種々の姿態のマネキン等が用いられている。特に、衣服を装着し易くするため、胴体からなるトルソが広く用いられている。
【０００３】
従来のトルソについて図９、図１０に基づいて説明する。トルソ本体１００は合成樹脂により中空に形成されると共に、左右一対の脚上部１０１の一方に支柱１０２が着脱自在に取付けられる。そして、トルソ本体１００はこの支柱１０２により床面Ｘに対して起立した状態で設置される。
【０００４】
具体的には、左右一対の脚上部１０１，１０１の下端には開口部１０１ａが形成され、左右一対の脚上部１０１，１０１のいずれか一方の開口部１０１ａには、前記支柱１０２を着脱自在に保持する支柱受け具１０３が取付けられている。
【０００５】
この支柱受け具１０３は、倒立凹皿部１０３ａと、前記倒立凹皿部１０３ａの天壁から上方突出して形成された円筒部１０３ｂから構成されている。
一方、前記支柱１０２の上端部側にはストッパ部材１０４が取付けられる。このストッパ部材１０４は、筒状部１０４ａと、前記筒状部１０４ａの上端部に形成され突出板部１０４ｂとを備えている。また、前記ストッパ１０４は、支柱１０２をストッパ１０４の筒状部１０４ａに挿通させ、前記ねじ１０５で支柱１０２に固定することにより、支柱１０２の所定に位置に固定することができるように構成されている。
更に、支柱１０２の下端側には、支持台１０２ａが設けられている。この支持台１０２ａは前記支柱１０２を略垂直に保持している。
【０００６】
そして、トルソ本体１００を床面Ｘに対して立設させるには、まず支柱１０２の所定の位置にストッパ１０４を固定し、前記支柱１０２の前端部分を支柱受け具１０３の円筒部１０３ｂに挿入し、前記ストッパ部材１０４の突出板部１０４ｂを、倒立凹皿部１０３ａの天壁に係止させる。
その結果、トルソ本体１００は支柱１０２に対して着脱自在に固定され、床面Ｘに対して起立状態になされる。その後、トルソ本体１００に所望の衣服を装着させることによって、ディスプレイに供される。
【特許文献１】実用新案登録第３１１８４２８号公報
【発明の開示】
【発明が解決しようとする課題】
【０００７】
ところで、前記したように支柱１０２は、左右一対の脚上部１０１、１０１のいずれか一方に取付けられる。そのため、前記支柱１０２の軸線がトルソ本体１００の中心線上に位置せず、位置がずれているため、トルソの重さで支柱１０２が図９の仮想線で示すように変形し、トルソ本体が図９の矢印のように傾くという技術的課題があった。
これを解決する方法として、図１０に仮想線で示すように、受け具１０３の筒状部１０３ｂをトルソ本体の傾き方向と逆方向の傾きをもって、倒立凹皿部１０３ａの天壁から上方突出して形成することが考えられる。即ち、予め支柱１０２をトルソ本体１００に対して傾きをもって取付けることにより、トルソ本体１００の傾きを抑制する方法が考えられる。
【０００８】
しかしながら、トルソ本体の重さが比較的軽く、またトルソ本体と中心線と支柱との距離が短い場合には、従来の支柱１０３及び支柱受け具１０３を用いても、トルソ本体１００が傾くことはないが、前記したような傾いた筒状部を有する支柱受け具を使用すると、筒状部の傾斜角度でトルソ本体１００が傾くこととなり、好ましいものではなかった。
【０００９】
本発明は上記技術的課題を解決するためになされたものであり、傾きが大きくなるトルソ、また傾きが小さいトルソに対しても使用することができ、トルソの傾きを極力小さくすることができるトルソの支柱受け具を提供することを目的とするものである。
【課題を解決するための手段】
【００１０】
本発明は上記目的を達成するために成されたものであり、基体及び前記基体に着脱自在に取付けられた筒状部材を備えた、トルソを起立状態になすための支柱を受けるトルソの支柱受け具において、前記基体は、前記基体の底面に形成された凹部と、前記凹部に形成された貫通孔と、前記凹部底面に形成された傾斜面とを備え、前記筒状部材は、前記基体の凹部収容される鍔部と、前記鍔部の底面に対して垂直に立設した、貫通孔を有する筒状部と、前記貫通孔が鍔部の底面に開口した開口部と、前記鍔部の上面に形成され、前記凹部底面に形成された傾斜面と同一の傾斜角度を有する傾斜面とを備え、前記鍔部上面の傾斜面と凹部底面の傾斜面が共に同じ傾斜方向になるように、前記鍔部を基体の凹部内に収容した際には、筒状部は基体に対して垂直に立設され、前記鍔部上面の傾斜面と凹部底面の傾斜面が共に異なる傾斜方向になるように、前記鍔部を基体の凹部内に収容した際には、筒状部は基体に対して斜めに立設されることを特徴としている。
【００１１】
このように、筒状部材の鍔部上面の傾斜面と基体の凹部底面の傾斜面が共に同じ傾斜方向になるように、前記鍔部を基体の凹部内に収容した際には、筒状部は基体に対して垂直に立設される。一方、前記鍔部上面の傾斜面と凹部底面の傾斜面が共に異なる傾斜方向になるように、前記鍔部を基体の凹部内に収容した際には、筒状部は基体に対して斜めに立設される。即ち、筒状部材の鍔部を基体の凹部に収容する際、鍔部上面の傾斜面と凹部底面の傾斜面を同方向になすか、異なる方向になすかによって、筒状部は基体に対して垂直あるいは斜めに立設される。
【００１２】
したがって、トルソ本体の重さが比較的軽く、またトルソ本体と中心線と支柱との距離が短い場合には、トルソ本体の傾きは少ないため、基体に対して筒状部を垂直に立設させる。一方、トルソ本体の重さが比較的重く、またトルソ本体と中心線と支柱との距離が大きい場合には、基体に対して筒状部を斜めに立設させる。
その結果、トルソ本体の重さが比較的軽く、またトルソ本体と中心線と支柱との距離が短い場合、またトルソ本体の重さが比較的重く、またトルソ本体と中心線と支柱との距離が大きい場合のいずれの場合にも、トルソの傾きを極力小さくすることができる。
【００１３】
ここで、前記凹部底面に形成された傾斜面の傾斜方向において相対向して位置する凹部側壁に、凹部内方に突出した突出部が形成され、かつ、前記鍔部上面に形成された傾斜面の傾斜方向において相対向して位置する鍔部側面に、切込み部が形成され、前記鍔部を基体の凹部内に収容した際には、前記突出部が切込み部と嵌合することが望ましい。
このように突出部が切込み部と嵌合するように構成されているため、基体に対して筒状部材が位置すれを起こすことなく固定される。
【００１４】
また、前記基体の外縁部がトルソ本体に固定され、トルソ本体に固定された基体に対して、前記筒状部材が螺子によって着脱自在に取付けられることが望ましい。
このようにトルソ本体に固定された基体に対して、前記筒状部材が螺子によって着脱自在に取付けられるため、トルソ本体に装着される衣服によって重量が増し、トルソ本体が傾いた場合にも、その傾きを解消することができる。
即ち、筒状部材を基体から外し、筒状部材の鍔部上面の傾斜面と、基体の凹部底面の傾斜面とが異なる方向になるように、前記鍔部を基体の凹部内に収容し直すことによって、筒状部は基体に対して斜めに立設され、トルソ本体の傾きを抑制することができる。
【発明の効果】
【００１５】
本発明によれば、傾きが大きくなるトルソ、また傾きが小さいトルソに対しても使用することができるトルソの支柱受け具を得ることができ、傾きが大きくなるトルソに使用した場合には傾きを抑制でき、また傾きが小さいトルソに使用した場合には、その小さな傾きを維持することができる。
【発明を実施するための最良の形態】
【００１６】
以下に、本発明の第一の実施形態について図１乃至図８に基づいて説明する。尚、図１は本発明にかかる支柱受け具の一実施形態を示す側面図、図２は図１に示した支柱受け具の底面図、図３は図２に示したＡ−Ａ断面図、図４は図２に示したＢ−Ｂ断面図、図５は図１に示した筒状部材の側面図、図６は図５に示した筒状部材の底面図、図７及び図８は筒状部材の傾き状態を説明するための図である。尚、図９、図１０示した部材と同一、相当する部材は同一符号を付することにより、その詳細な説明は省略する。
【００１７】
本発明にかかるトルソの支柱受け具１は、図１に示すように基体１０と筒状部材２０とからなり、基体１０に筒状部材２０を装着することによって、支柱受け具１として形成される。具体的には、前記基体１０をトルソ本体１００の金型内に装着し、トルソ本体１００の成形と同時に、前記基体１０をトルソ本体に固定する。そして、前記トルソ本体１００に固定された基体１０に対して、筒状部材２０を装着することにより、支柱受け具１として形成される。尚、基体１０に筒状部材２０を装着した後、トルソ本体１００の金型内に装着し、トルソ本体１００の成形と同時に、前記基体１０をトルソ本体１００に固定しても良い。また、前記支柱受け具１は、従来と同様に、左右一対の脚上部１０１、１０１のいずれか一方に固定される。
【００１８】
更に、前記基体１０と、前記筒状部材２０について詳述する。
前記基体１０の底面中央部には、図２に示すように、筒状部材２０の鍔部２１が収容される矩形状の凹部１１が形成され、その凹部１１の中央部には円形の貫通孔１２が形成されている。また、前記凹部１１の角部には、筒状部材２０の鍔部２１を固定するための螺子孔１３が形成されている。
【００１９】
更に、前記矩形状の凹部１１の相対向する側壁面には、凹部１１に内側に突出した突出部１４，１５が設けられている。そして、前記突出部１４側から突出部１５側に向かって、凹部１１の深さが徐々に深くなるように、前記凹部底面１１ａが傾斜面として形成されている。
また、この基体１０は、表板部１０ａと裏板部１０ｂとを有し、基体１０の外周側面には表板部１０ａと裏板部１０ｂとによって、断面がコ字状の凹部１０ｃが形成されている。尚、前記基体１０は合成樹脂により形成されている。
【００２０】
一方、前記筒状部材２０は、鍔部２１と、前記鍔部２１の底面２１ｂに対して垂直に立設した、貫通孔２３を有する筒状部２２と、前記貫通孔２３が鍔部２１の底面２１ｂに開口した開口部２１ｃとを備えている。
また、この筒状部材２０は合成樹脂により形成され、前記鍔部２１は図６に示すように矩形状に形成され、その角部には螺子が貫通する貫通孔２４が形成されている。更に鍔部２１の相対向する側面には円弧状の切込み部２５、２６が形成されている。
【００２１】
また、前記鍔部２１の上面２１ａは、切込み部２５側から切込み部２６側に向かって下方に傾斜する傾斜面として形成されている。即ち、鍔部２１は切込み部２５側の厚さが厚く、切込み部２６側の厚さが薄くなるように形成されている。
尚、前記筒状部２２は前記鍔部２１の底面２１ｂに対して垂直に形成されており、前記鍔部２１の上面２１ａの傾斜角度と、凹部１１の底面１１ａの傾斜角度は同一の角度に形成されている。
【００２２】
したがって、前記開口部２１ｃから貫通孔１２内に筒状部２２を挿通し、前記鍔部２１を基体１０の凹部１１内に収容した際、鍔部上面２１ａと凹部１１の底面１１ａが共に同じ傾斜方向である場合には、図７に示すように筒状部２２は基体１０に対して垂直に立設される。これに対して、鍔部上面２１ａと凹部１１の底面１１ａが異なる傾斜方向である場合には、図８に示すように筒状部２２は基体１０に対して斜めに立設される。
【００２３】
このように、鍔部２１の上面２１ａ及び凹部１１の底面１１ａが一端側から他端側に向かう傾斜面として形成されているため、その組み合わせにより、筒状部２２を垂直に、あるいは斜めに立設させることができる。
【００２４】
次に、この支柱受け具１０の組立てについて説明する。
まず、基体１０をトルソ本体１００の金型内に装着し、左右一対の脚上部１０１，１０１のいずれか一方に、トルソ本体１００の成形と同時に固定する。このとき、基体１０の外縁部には、表板部１０ａと裏板部１０ｂによって形成された凹部１０ｃ内に、トルソ本体１００の成形材料（合成樹脂）が充填されるため、基体１０はトルソ本体１００に強固に固定される。
また前記基体１０は、後述する凹部１１の突出部１５がトルソ本体１００の中心側（脚上部１０１の内側）に位置し、凹部１１の突出部１４がトルソ本体１００の外側（脚上部１０１の外側）に位置するように、固定される。
【００２５】
そして、トルソ本体１００の重さが比較的軽く、またトルソ本体１００と中心線と支柱１０２との距離が短い場合には、トルソ本体１００の傾きは少ないため、基体１０に対して筒状部２２を垂直に立設させるように組立てる。
即ち、前記開口部２１ｃから貫通孔１２内に筒状部２２を挿通し、筒状部材２０の鍔部２１の切込み部２６が基体１０の突出部１４と嵌合し、切込み部２５が突出部１５と嵌合するように、鍔部２１を基体１０の凹部１１内に収容する。
【００２６】
このとき、筒状部材２１の上面２１ａと凹部１１の底面１１ａとの傾斜方向が一致するため、鍔部２１の底面２１ｂが基体１０の底面と平行になるように、鍔部２１を基体１０の凹部１１内に収納される。その結果、図７に示すように、筒状部２２は基体１０の底面に対して垂直に立設される。
【００２７】
そして、ねじを貫通孔２４に挿通し、基体１０の螺子孔１３に螺合させ、筒状部材２０を基体１０に固定する。
次に、図示しないが、支柱１０２の所定の位置にストッパ１０４を固定し、前記支柱１０２の前端部分を支柱受け具１の筒状部２０の貫通孔２３に挿入し、前記ストッパ部材１０４の突出板部１０４ｂを、支柱受け具１の底面（鍔部２１の底面２１ｂ）に係止させる。
その結果、トルソ本体１００は、前記支柱１０２によって床面Ｘに対して、傾くことなく起立状態に設置でき、トルソ本体１００に所望の衣服を装着させることによって、ディスプレイに供される。
【００２８】
更に、トルソ本体１００の重さが比較的重く、またトルソ本体１００と中心線と支柱との距離が大きい場合には、基体１０に対して筒状部２２を斜めに立設させる。
即ち、前記開口部２１ｃから貫通孔１２内に筒状部２２を挿通し、筒状部材２０の鍔部２１の切込み部２６が基体１０の突出部１５と嵌合し、切込み部２５が突出部１４と嵌合するように、鍔部２１を基体１０の凹部１１内に収容する。
【００２９】
このとき、筒状部材２１の上面２１ａと凹部１１の底面１１ａとの傾斜方向が異なるため、鍔部２１の底面２１ｂは基体１０の底面に対して傾斜して収納される。そのため、図８に示すように、筒状部２２は基体１０の底面に対して斜めに傾いた状態に立設される。
【００３０】
そして、前記した場合と同様に、ねじを貫通孔２４に挿通し、基体１０の螺子孔１３に螺合させ、筒状部材２０を基体１０に固定する。
その後、支柱１０２の所定の位置にストッパ１０４を固定し、前記支柱１０２の前端部分を支柱受け具１の筒状部２０の貫通孔２３に挿入し、前記ストッパ部材１０４の突出板部１０４ｂを、支柱受け具１の底面（鍔部２１の底面２１ｂ）に係止する。
即ち、支柱１０２は、トルソ本体１００に対して斜めに傾いた状態で係止される。そして、トルソ本体１００を前記支柱１０２によって床面Ｘに対して設置すると、トルソ本体１００は斜めに傾こうとする。
【００３１】
しかしながら、支柱が支柱受け具１に対して、トルソ本体１００の傾斜方向と逆の傾斜方向に立設されているため、トルソ本体１００は、前記支柱１０２によって床面Ｘに対して、略垂直状態に設置できる。その後、トルソ本体１００に所望の衣服を装着させることによって、ディスプレイに供される。
【００３２】
尚、上記実施形態にあっては、前記鍔部上面に形成される傾斜面として上面全体が傾斜面である場合について、また凹部底面に形成される傾斜面として凹部底面全体が傾斜面である場合について説明したが、本発明はこれに限定されることなく、鍔部上面の一部分を凹部底面と接するようになし、当該部分のみを傾斜面としても良い。また、凹部底面の一部分を鍔部上面と接するようになし、当該部分のみを傾斜面としても良い。
【図面の簡単な説明】
【００３３】
【図１】図１は本発明にかかる支柱受け具の一実施形態を示す側面図である。
【図２】図２は図１に示した支柱受け具の底面図である。
【図３】図３は図２に示したＡ−Ａ断面図である。
【図４】図４は図２に示したＢ−Ｂ断面図である。
【図５】図５は図１に示した筒状部材の側面図である。
【図６】図６は図５に示した筒状部材の底面図である。
【図７】図７は筒状部が垂直に立設した状態を説明するための図である。
【図８】図８は筒状部が傾いた状態を説明するための図である。
【図９】図９はトルソの立設状態を説明するための図である。
【図１０】図１０は従来のトルソの支柱受け部具の断面図である。
【符号の説明】
【００３４】
１      支柱受け具
１０    基体
１１    凹部
１１ａ  底面
１２    貫通孔
１３    螺子孔
１４    突出部
１５    突出部
２０    筒状部材
２１    鍔部
２１ａ  上面
２１ｂ  底面
２２    筒状部
２３    貫通孔
２４    貫通孔
２５    切込み部
２６    切込み部
１００  トルソ本体
１０１  脚上部
【図１】
2008154654.tif 000003
【図２】
2008154654.tif 000004
【図３】
2008154654.tif 000005
【図４】
2008154654.tif 000006
【図５】
2008154654.tif 000007
【図６】
2008154654.tif 000008
【図７】
2008154654.tif 000009
【図８】
2008154654.tif 000010
【図９】
2008154654.tif 000011
【図１０】
2008154654.tif 000012